(57)【特許請求の範囲】
【請求項１】
透明材料からなり、かつ二つの板面のうちの一方の板面に、それぞれ多数のドットの集合体からなる複数の表示パターン部が形成された導光板と、
前記導光板の端面側から導光板内に、導光板の前記一方の板面に沿ってそれぞれ異なる方向に光を入射させるための複数の光源とを有し、
前記複数の表示パターン部を構成する各ドットは、それぞれ導光板の前記一方の板面から窪む反射用凹部によって構成され、
かつ各ドットの反射用凹部は、その内面の一部が、前記一方の板面に対して垂直な軸線を有する直円錐の側面の一部に相当する形状のテーパー面とされて、そのテーパー面が、前記複数の光源のうちのいずれかの光源からの光を、他方の板面に向けて反射させる反射面とされ、
さらに各ドットの反射用凹部の内面のうち、前記テーパー面以外の面が、前記一方の板面に対して垂直もしくは傾斜する平面とされて、各光源からの光を前記他方の板面に向けて反射もしくは屈折させないように構成され、
前記ドットを構成する反射用凹部内面のテーパー面の凸湾曲側が、それぞれそのドットが属する表示パターン部ごとに、異なる光源に向いて、それぞれ異なる光源からの光を前記他方の板面に向けて反射するように構成されていることを特徴とする表示装置。
【請求項２】
前記各反射用凹部の内面が、前記一方の板面に対して垂直な軸線を有する直円錐を、その回転軸を含む１以上の平面で分割したときの、分割された一つの円錐分割体の形状に作られていることを特徴とする請求項１に記載の表示装置。
【請求項３】
前記反射用凹部が、前記一方の板面に対して垂直な軸線を有する円錐台を、その回転軸を含む１以上の平面で分割したときの、分割された一つの円錐台分割体の形状に作られていることを特徴とする請求項１に記載の表示装置。
【請求項４】
前記複数の光源のうちの少なくとも１つの光源が、導光板の端面に沿った方向に並ぶ複数の発光素子によって構成されていることを特徴とする請求項１〜請求項３のうちのいずれかの請求項に記載の表示装置。
【発明の詳細な説明】
【技術分野】
【０００１】
本発明は、各種ディスプレイ装置などとして、絵柄や文字、記号、模様などの二次元パターンを表示するための表示装置に関し、特に透明材料からなる導光板の板面に、表示すべき二次元情報に相当するパターンで多数のドット（微小凹部）を形成しておき、導光板の端面から光を導光板内に入射させて、前記ドット内の反射面により光を反射させることにより、前記パターンを発光表示させるようにした表示装置に関するものである。
【背景技術】
【０００２】
最近に至り、アクリル樹脂やポリカーボネート樹脂、そのほかガラスなどの透明材料からなる導光板の板面に、所定の絵柄や文字、記号、模様などのパターンに従って、微小凹部からなる多数のドットを形成し、かつその導光板の端面に、ＬＥＤなどの光源を配置しておき、その光源から導光板内に入射された光を、微小凹部からなる多数のドットの内側面により反射させることにより、所定のパターンを発光表示させるようにした表示装置が実用化されるに至っている。
【０００３】
この種の表示装置としては、導光板の同じ側の一つの板面に、２種以上の絵柄や文字、記号、模様などのパターンを、異なる色、あるいは異なるタイミングで表示させるようにしたものが開発されている（例えば特許文献１、特許文献２）。
【０００４】
その代表的な従来の例を、図１３〜図１６に模式的に示す。
図１３において、全体として方形をなす透明材料からなる導光板１における、一つの端面２の側には、その端面２に接するかまたは近接するようにＬＥＤなどからなる第１の光源１２Ａが配設され、上記端面２に対して直角となる別の端面３の側には、同じくＬＥＤなどからなる第２の光源１２Ｂが、端面３に接するかまたは近接するように配設されている。ここで、第１の光源１２Ａおよび第２の光源１２Ｂは、同じ色の光を発光するものであっても良いが、ここでは分かりやすくするため、第１の光源１２Ａは赤色光を発光し、第２の光源は青色光を発光するものとする。
【０００５】
前記導光板１の一つの板面６には、それぞれ微小な反射用凹部からなる多数のドットによって、二つの表示パターン部１４Ａ、１４Ｂ、すなわち第１の表示パターン部１４Ａおよび第２の表示パターン部１４Ｂが形成されている。ここで、第１の表示パターン部１４Ａは、例えばアルファベットの大文字の“Ａ”のパターンとされ、第２の表示パターン部１４Ｂは、例えばアルファベットの大文字の“Ｂ”のパターンとされている。各表示パターン部１４Ａ、１４Ｂを構成するドットは、図１４、図１５、図１６に示すように、それぞれ導光板１の板面６から切り込まれた（窪んだ）反射用凹部１６によって構成されている。各反射用凹部１６は、それぞれ垂直断面形状がレの字状となるように作られている。より具体的には、各反射用凹部１６は、板面６の側から平面的に見て長方形をなし、かつその長方形の長さ方向に沿う一つの平面１６Ａが、導光板１の板面６に垂直な面に対して所定角度傾斜する平面（反射面）とされ、その平面１６Ａに対向しかつ前記長方形の長さ方向に沿う他の平面１６Ｂが、導光板１の板面６に垂直な面とされている。
【０００６】
ここで、第１の表示パターン１４Ａに属するドットと、第２の表示パターン１４Ｂに属するドットとでは、それぞれの反射用凹部１６の向きが異なるように定められている。すなわち、第１の表示パターン１４Ａに属するドットの反射用凹部１６は、その長さ方向が、導光板の前記一方の端面２と平行となるように（すなわち第１の光源１２Ａからの光の入射方向に対してほぼ直交するように）形成され、かつその反射面１６Ａが第１の光源１２Ａに対し所定角度（例えば４５度）の角度で傾斜するように形成されている。一方、第２の表示パターン１４Ｂに属するドットの反射用凹部１６は、長さ方向が導光板の他方の端面３と平行となるように（すなわち第２の光源１２Ｂからの光の入射方向に対してほぼ直交するように）形成され、かつその反射面１６Ａが第２の光源１２Ｂに対し所定角度（例えば４５度）の角度で傾斜するように形成されている。したがってこの場合、第１の表示パターン１４Ａに属するドットの反射用凹部１６の反射面１６Ａは、第１の光源１２Ａからの光を、板面７に向けて板面６に対しほぼ垂直な方向に反射させ、第２の表示パターン１４Ｂに属するドットの反射用凹部１６の反射面１６Ｂは、第２の光源１２Ｂからの光を、板面７に向けて板面６に対しほぼ垂直な方向に反射させることになる。なお各反射用凹部１６における、反射面１６Ａ以外の面は、導光板１の板面６に対し垂直な面とされているため、各光源１２Ａ、１２Ｂからの光を、板面７に向かっては実質的に反射させない。
【０００７】
したがってこのような表示装置では、第１の光源１２Ａから導光板１に入射された赤色光は、第１の表示パターン１４Ａを構成する各ドット（反射用凹部１６）の反射面１６Ａによって、板面７に向けて反射され、これらのドットの集合体からなる第１の表示パターン１４Ａの文字“Ａ”が、板面７の側に赤色光で表示される。またこの第１の光源１２Ａからの赤色光は、第２の表示パターン１４Ｂを構成する各ドット（反射用凹部１６）では、少なくとも板面７に向けては反射されない。一方、第２の光源１２Ｂから導光板１に入射された青色光は、第２の表示パターン１４Ｂを構成する各ドット（反射用凹部１６）の反射面１６Ａによって、板面７に向けて反射され、これらのドットの集合体からなる第２の表示パターン１４Ｂの文字“Ｂ”が板面７の側に青色光で表示される。またこの第２の光源１２Ｂからの赤色光は、第２の表示パターン１４Ｂを構成する各ドット（反射用凹部１６）では、少なくとも板面７に向けては反射されない。このようにして、導光板１の板面７には、第１の表示パターン１４Ａの文字“Ａ”が赤色光によって表示されると同時に、第２の表示パターン１４Ｂの文字“Ｂ”が青色光によって表示される。
【０００８】
ところで図１３〜図１６に示される従来の表示装置では、その表示パターンを目視したときに、筋ムラが観察されてしまうという問題があった。これは、表示パターンのドットを構成する反射用凹部の反射面が平面であること、およびこの種の表示装置では、反射用凹部の反射面に到達する光が、その反射面に正対する一方向からだけではないことに起因する。
【０００９】
すなわち、ある広がりを持ったパターンを表示させるための表示装置における光源としては、単一の点光源を用いることは稀であり、実際上は、複数の点光源を並べたり、あるいは線状光源を用いたりすることが多い。例えば図１３の例では、端面２の側の第１の光源１２Ａとして、実際にはＬＥＤなどの複数の発光素子１２Ａ１、１２Ａ２、１２Ａ３を、端面２の長さ方向に間隔を置いて並設しておくのが一般的であり、また端面３の側の第２の光源１２Ｂとしても、ＬＥＤなどの複数の発光素子１２Ｂ１、１２Ｂ２、１２Ｂ３を、端面３の長さ方向に間隔を置いて並設しておくのが一般的である。したがって、各反射用凹部の反射面に到達する光も、正面の一方向からだけではなく、各発光素子の並ぶ方向（導光板の端面の長さ方向）に沿う面内での、種々の方向から到来することになるのが通常である。また、線状光源を、端面２、端面３に、それぞれその長さ方向に沿って配設した場合も同様である。
【００１０】
一方反射用凹部１６の反射面１６Ａは、図１７に模式的に示しているように、ある長さ、ある幅を有する平面であり、その平面に異なった方向から光が入射すれば、反射光も異なる方向に向けて反射されることになる。そのため、各反射用凹部１６の反射面１６Ａにより反射された光を板面７の側から見た像（反射像）は、発光素子の並ぶ方向と平行に引き伸ばされた像に見える。さらに、その引き伸ばされた反射像が、隣り合う反射用凹部の反射面からの反射光による像同士で連続してしまって、筋状の模様（ムラ）が出現してしまう、と考えられる。
【００１１】
このような筋状のムラは、本来表示すべき絵柄や文字、記号、模様などに対して、視覚的なノイズとなるから、美麗で精緻な表示が望まれるディスプレイ装置では、その出現を回避することが強く望まれる。
【先行技術文献】
【特許文献】
【００１２】
【特許文献１】特開２００６−７５３６２公報
【特許文献２】特開２００８−２７５９２１公報
【特許文献３】特開２００１−３１２２３３公報
【発明の概要】
【発明が解決しようとする課題】
【００１３】
本発明は以上の事情を背景としてなされたもので、導光板の同じ側の一つの板面（パターン表示面）に、２種以上の絵柄や文字、記号、模様などのパターンを、異なる色、あるいは異なるタイミングで表示させるようにした表示装置として、パターン表示面に筋状のムラが出現することを防止し、これによって、ノイズの少ない美麗で精緻な表示を行ないようにした表示装置を提供することを課題としている。
【課題を解決するための手段】
【００１４】
前述のような課題を解決するための手法、特に筋ムラの出現を防止するための手法として、本発明者等は、反射用凹部の形状（内面形状）、特に反射面の形状を変更することを考えた。そして、反射面を、従来の一般的な平面（傾斜状平面）ではなく、円錐面とすることに着目した。
【００１５】
ここで、表示装置における反射用凹部として、図１８に示すような円錐状の凹部１６を形成し、その側面（円錐面）を反射面１６Ａとすること自体は、例えば特許文献１の図３２（ａ）や、特許文献３などによって、従来から知られている。このような円錐状の反射用凹部１６では、その反射面（円錐面）１６Ａが全周にわたって連続しているため、図１８中に示しているように、円錐の軸Ｏに対して直交する面内で、その軸Ｏに向かって種々の方向から到来する光は、円錐面からなる反射面１６Ａによって、すべて軸線Ｏと平行な方向に反射される。そのため、前述のように複数の発光素子を並べた場合でも、板面７の側から見た反射像が発光素子の並ぶ方向と平行に引き伸ばされることがなく、したがって前述のような筋ムラは発生しにくい。しかしながら、円錐面を反射面１６Ａとした場合、その軸線Ｏに直交する面内のいずれの方向から到来した光も、すべて一方の板面に向けて反射されるため、図１３に示すような表示装置に適用しても、異なる色で異なるパターンを表示させることはできない。すなわち、図１３に示す表示装置における各表示パターン部１４Ａ、１４Ｂのドットを構成する反射用凹部１６を、すべて円錐状凹部に置き換えた場合、第１の光源１２Ａからの赤色光および第２の光源１２Ｂからの青色光のいずれもが、第１および第２の表示パターン部１４Ａ、１４Ｂの各反射用凹部１６の反射面（円錐面）によって板面７に向けて反射され、そのため第１および第２の表示パターン部１４Ａ、１４Ｂは、すべて赤色光と青色光の混色光で表示されてしまうことになる。
【００１６】
したがって、反射用凹部の反射面を円錐面とすることは、そのままでは、本発明で基本的な前提としている、２種以上パターンを、異なる色、あるいは異なるタイミングで表示させるための表示装置には適用できない。そこで本発明者等は、円錐面の全面ではなく、その一部の面（テーパー面）を反射用凹部の反射面に利用すれば、筋ムラの出現を防止すると同時に、２種以上パターンを、異なる色、あるいは異なるタイミングで表示させ得ることを知見し、本発明をなすに至った。
【００１７】
したがって本発明では、基本的には、複数の光源から導光板内に異なる方向で光を入射させて、異なる色もしくは異なるタイミングで異なるパターンを表示させることを前提とし、その場合に、表示パターンのドットを構成する反射用凹部として、その内側の反射面が、円錐面の側面の一部もしくはそれに近い形状のテーパー面、すなわち板面に直交する方向に対して傾斜し、かつ板面に平行な面内で湾曲するテーパー面となるようにして、そのテーパー面の凸湾曲側が、対応する光源に向くように構成することとした。
【００１８】
すなわち本発明の基本的な態様（第１の態様）による表示装置は、
透明材料からなり、かつ二つの板面のうちの一方の板面に、それぞれ多数のドットの集合体からなる複数の表示パターン部が形成された導光板と、
前記導光板の端面側から導光板内に、導光板の前記一方の板面に沿ってそれぞれ異なる方向に光を入射させるための複数の光源とを有し、
前記複数の表示パターン部を構成する各ドットは、それぞれ導光板の前記一方の板面から窪む反射用凹部によって構成され、
かつ各ドットの反射用凹部は、その内面の一部が、前記一方の板面に対して垂直な軸線を有する直円錐の側面の一部に相当する形状のテーパー面とされて、そのテーパー面が、前記複数の光源のうちのいずれかの光源からの光を、他方の板面に向けて反射させる反射面とされ、
さらに各ドットの反射用凹部の内面のうち、前記テーパー面以外の面が、前記一方の板面に対して垂直もしくは傾斜する平面とされて、各光源からの光を前記他方の板面に向けて反射もしくは屈折させないように構成され、
前記ドットを構成する反射用凹部内面のテーパー面の凸湾曲側が、それぞれそのドットが属する表示パターン部ごとに、異なる光源に向いて、それぞれ異なる光源からの光を前記他方の板面に向けて反射するように構成されていることを特徴とするものである。
【００１９】
このような第１の態様の表示装置においては、導光板の一方の板面（以下“ドット形成面”と言う）に、それぞれ多数のドットの集合体からなる複数の表示パターン部が形成されている。そして各ドットは、ドット形成面から窪む反射用凹部によって構成されている。
さらに反射用凹部の内面は、いずれかの光源からの光を導光板の前記他方の板面（以下“パターン表示面”と言う）に向けて反射させる反射面（ドット形成面に対して垂直な軸線を有する直円錐の側面の一部に相当する形状のテーパー面）と、それ以外の面（各光源からの光をパターン表示面に実質的に導かないように、各光源からの光をパターン表示面に向けて反射もしくは屈折させない面）とを有している。
【００２０】
そして複数の表示パターン部のうちのある表示パターン部（以下“第１の表示パターン部”という）のドットを構成している各反射用凹部のテーパー面は、その凸湾曲側がある特定の光源（以下“第１の光源”という）に向いており、別の表示パターン部（以下“第２の表示パターン部”という）のドットを構成している各反射用凹部のテーパー面は、その凸湾曲側が別の光源（以下“第２の光源”という）に向いている。
そのため、第１の光源からの光は、第１の表示パターン部のドットを構成している反射用凹部のテーパー面により、パターン表示面に向けて反射されて、第１の表示パターン部のドットが発光し、その発光したドットの集合により、所定の絵柄や文字などのパターンが、第１のパターン表示部において発光表示される。このとき、第２の光源からの光は、第１のパターン表示部のドットを構成している反射用凹部によっては、パターン表示面に導かれないため、第１のパターン表示部は、第１の光源からの光のみによって発光表示することになる。
一方、第２の光源からの光は、第２の表示パターン部のドットを構成している反射用凹部のテーパー面により、パターン表示面に向けて反射されて、第２の表示パターン部のドットが発光し、その発光したドットの集合により、所定の絵柄や文字などのパターンが第２のパターン表示部において発光表示される。このとき、第１の光源からの光は、第２のパターン表示部のドットを構成している反射用凹部によっては、パターン表示面に導かれないため、第２のパターン表示部は、第２の光源からの光のみによって発光表示することになる。したがって、例えば、第１の光源と第２の光源とでその発光色を異ならしめておけば、各パターン表示部において異なる色でそれぞれのパターンを発光表示することができる。
【００２１】
ここで、上記の説明では、第１および第２のパターン表示部、すなわち二つのパターン表示部を有し、かつそれに対応して二つの光源を有している場合について記述したが、三つ以上の多数のパターン表示部を有し、かつそれに対応して三つ以上の多数の光源を有している場合も、それぞれの光源からの光により、異なる別のパターン表示部を発光させることができることはもちろんである。
【００２２】
さらに、各ドットを構成する反射用凹部における反射面は、ドット形成面に対して垂直な軸線を有する直円錐の側面の一部をなすテーパー面によって構成されているため、ドット形成面と平行な面内で各光源からテーパー面（凸湾曲面）に至った光は、すべてドット形成面に直交する方向に沿った一方向（直円錐の軸線と平行な一方向）に沿って反射される。そのため、反射面を平面とした従来技術の場合のような、各ドットの反射面からの反射光の像が、ある方向に引き伸ばされてしまうことを確実に防止することができ、その結果、隣り合うドット（反射用凹部）の間隔が小さい場合でも、隣り合う各ドットの像が連続して、筋状の模様（筋ムラ）が現出してしまうことを、確実に防止できる。
【００２４】
さらに第１の態様の表示装置によれば、テーパー面以外の面が、ドット形成面に対して垂直もしくは傾斜する面とされて、各光源からの光をパターン表示面に向けて反射もしくは屈折させないように構成されているから、各光源からドット形成面と平行な面内で前記テーパー面以外の面に入射した光は、パターン表示面に導かれることが有効に防止される。特にテーパー面に対して反対側から入射した光がパターン表示面に導かれることが、確実に防止される。
【００２９】
また本発明の第２の態様による表示装置は、前記第１の態様の表示装置において、
前記反射用凹部の内面が、前記一方の板面に対して垂直な軸線を有する直円錐を、その回転軸を含む１以上の平面で分割したときの、分割された一つの円錐分割体の形状に作られていることを特徴とするものである。
【００３０】
このような第２の態様の表示装置は、２以上の表示パターン部および２以上の光源を有していて、その２以上の光源が、導光板におけるそれぞれ異なる側の端面に配置されている場合、すなわち各光源からの入射光の向きがそれぞれ異なる場合に有効である。
【００３１】
さらに本発明の第３の態様による表示装置は、前記第１の態様の表示装置において、
前記反射用凹部が、前記一方の板面に対して垂直な軸線を有する円錐台を、その回転軸を含む１以上の平面で分割したときの、分割された一つの円錐台分割体の形状に作られていることを特徴とするものである。
【００３２】
第３の態様の表示装置においても、各反射用凹部の内面形状として直円錐を分割した形状とした場合と同様に機能する。
【００３３】
さらに本発明の第４の態様による表示装置は、前記第１〜第３のいずれかの態様の表示装置において、
前記複数の光源のうちの少なくとも１つの光源が、導光板の端面に沿った方向に並ぶ複数の発光素子によって構成されていることを特徴とするものである。
【００３４】
既に述べたところから明らかなように、筋ムラは、一つの表示パターン部でドットを発光表示させるための光源として複数の発光素子を用い、かつそれらの発光素子を、導光板の端面に沿って一方向に並べている場合に生じやすい。しかるに、第１〜第３のいずれかの態様を前提とすれば、光源を構成する複数の発光素子を導光板の端面に沿って一方向に並べた場合でも、確実に筋ムラの出現を抑制することができるのである。
【発明の効果】
【００３５】
本発明の表示装置によれば、導光板の同じ側の一つの板面（パターン表示面）に、絵柄や文字、記号、模様などの２種以上のパターンを、それぞれ異なる色、あるいは異なるタイミングで表示させることができると同時に、パターン表示面に、筋状のムラが出現することを抑制し、これによって、ノイズの少ない美麗で精緻なパターン表示を行なうことができる。
【図面の簡単な説明】
【００３６】
【図１】本発明の表示装置の第１の実施形態を示す模式的な平面図である。
【図２】図１のＩ−Ｉ線における拡大断面図である。
【図３】図１のＩＩ−ＩＩ線における拡大断面図である。
【図４】図１に示される第１の実施形態における各パターン表示部のドットを構成する反射用凹部を示す図で、（Ａ）は第１のパターン表示部のドットを構成する反射用凹部についての模式的な斜視図、（Ｂ）は第２のパターン表示部のドットを構成する反射用凹部についての模式的な斜視図である。
【図５】本発明の表示装置の第２の実施形態を示す模式的な平面図である。
【図６】図５に示される第２の実施形態における各パターン表示部のドットを構成する反射用凹部を模式的に示す図で、（Ａ）は斜視図、（Ｂ）は平面図である。
【図７】本発明の表示装置の第３の実施形態を示す模式的な平面図である。
【図８】本発明の表示装置における反射用凹部の別の例を示す図で、（Ａ）は反射用凹部の形状の模式的な斜視図、（Ｂ）は導光板を含む反射用凹部の縦断面図である。
【図９】本発明の表示装置における反射用凹部のさらに別の例を示す図で、（Ａ）は反射用凹部の形状の模式的な斜視図、（Ｂ）は反射用凹部の形状の模式的な平面図である。
【図１０】本発明の表示装置における反射用凹部のさらに別の例を示す図で、（Ａ）は反射用凹部の形状の模式的な斜視図、（Ｂ）は反射用凹部の形状の模式的な平面図である。
【図１１】本発明の表示装置における反射用凹部のさらに別の例を示す図で、反射用凹部の形状の模式的な斜視図である。
【図１２】本発明の表示装置における反射用凹部のさらに別の例を示す図で、反射用凹部の形状の模式的な斜視図である。
【図１３】従来の表示装置の一例を模式的に示す平面図である。
【図１４】図１３の矢印ＩＩＩの部分を拡大して示す模式的な平面図である。
【図１５】図１３に示される従来の表示装置における第１のパターン表示部のドットを構成する反射用凹部を拡大して示す図で、（Ａ）は平面図、（Ｂ）は（Ａ）のＶ−Ｖ線における断面図、（Ｃ）は（Ａ）のＶＩ−ＶＩ線における断面図である。
【図１６】図１３に示される従来の表示装置における第２のパターン表示部のドットを構成する反射用凹部を拡大して示す図で、（Ａ）は平面図、（Ｂ）は（Ａ）のＶＩＩ−ＶＩＩ線における断面図、（Ｃ）は（Ａ）のＶＩＩＩ−ＶＩＩＩ線における断面図である。
【図１７】図１３に示される従来の表示装置におけるパターン表示部のドットを構成する反射用凹部の反射面の作用を示す模式的な斜視図である。
【図１８】従来の別の表示装置におけるパターン表示部のドットを構成する反射用凹部の反射面の作用を示す模式的な斜視図である。
【発明を実施するための形態】
【００３７】
以下、本発明の実施形態について詳細に説明する。
図１〜図４には本発明の表示装置の第１の実施形態を示す。
図１において、アクリル樹脂、ポリカーボネート樹脂、その他ガラスなどの透明材料からなる導光板１は、ある厚みを有する方形板状に作られている。なおここで、透明材料とは、無色透明の材料のみならず、着色透明の材料も含むが、本実施形態では、無色透明の材料からなるものとする。
導光板１の一つの端面５には、その長さ方向に沿って、ＬＥＤなどの複数（図示の例では４個）の発光素子１２Ａ１、１２Ａ２、１２Ａ３、１２Ａ４が配設されており、これらの１２Ａ１〜１２Ａ４によって、第１の光源１２Ａが構成されている。なお第１の光源１２Ａの発光素子１２Ａ１〜１２Ａ４は、本実施例では、それぞれ赤色光を発光するものとする。
また導光板１における前記端面５に対し反対側の端面３にも、その長さ方向に沿ってＬＥＤなどの複数（図示の例では４個）の発光素子１２Ｂ１〜１２Ｂ４が配設されており、これらの１２Ｂ１〜１２Ｂ４によって、第２の光源１２Ｂが構成されている。なお第２の光源１２Ｂの発光素子１２Ｂ１〜１２Ｂ４は、本実施例では、それぞれ青色光を発光するものとする。
【００３８】
前記導光板１における二つの板面６、７のうち、一方の板面６（図１における裏側の面；図２、図３に現れている）は、後述するようなドット形成面とされ、他方の板面７は、所望のパターンで発光してそのパターンを表示するパターン表示面とされている。
そしてドット形成面６には、前記第１の光源１２Ａからの赤色光によって発光して所定のパターンを赤色でパターン表示面７に表示させるための第１の表示パターン部１４Ａと、前記第２の光源１２Ｂからの青色光によって発光して所定のパターンを青色でパターン表示面７に表示させるための第２の表示パターン部１４Ｂとが形成されている。
これらの第１および第２の表示パターン部１４Ａ、１４Ｂは、それぞれ後述するような微小な反射用凹部からなる多数のドットの集合によって、絵柄や文字、記号、模様などのパターンを表したしたものである。本実施形態では、第１の表示パターン部１４Ａには、大文字のアルファべットの“Ａ”、“Ｂ”、“Ｃ”の文字パターンがドットにより形成され、第２の表示パターン部１４Ｂには、大文字のアルファべットの“Ｄ”、“Ｅ”、“Ｆ”の文字パターンがドットにより形成されている。
【００３９】
第１および第２の表示パターン部１４Ａ、１４Ｂを構成する多数のドットは、それぞれ図４（Ａ）、（Ｂ）に模式的に示すように、直円錐を、その軸線Ｏを含む垂直な平面によって縦に２分割した形状、すなわち円錐２分割体の形状をなす凹部（反射用凹部）１６によって構成されている。なおこの反射用凹部に付す符号については、第１の表示パターン部１４Ａに属する反射用凹部と、第２の表示パターン部１４Ｂに属する反射用凹部とで区別する必要がある場合は、前者の反射用凹部には“１６（Ａ）”の符号を付し、後者の反射用凹部には“１６（Ｂ）”の符号を付すこととし、一方、特に区別する必要がない場合には、“１６”の符号を付す。ここで、第１のパターン表示部１４Ａに属するドットの反射用凹部１６（Ａ）を図４（Ａ）に、また第２のパターン表示部１４Ｂに属するドットの反射用凹部１６（Ｂ）を図４（Ａ）に、それぞれ光源１２Ａ、１２Ｂからの光の入射方向と関連させて模式的に示している。
【００４０】
各反射用凹部１６は、その軸線（２分割前の円錐の軸線）Ｏが、導光板１のドット形成面６に対して垂直となるように、かつ円錐の底面に相当する側がドット形成面６に開口するように、ドット形成面６から窪んだ状態で形成されている。したがって、各反射用凹部１６の内面は、軸線Ｏを基準として１８０度の角度で広がるテーパー面（２分割する前の円錐における側面の半分の面）１８と、そのテーパー面１８の両端間を結ぶ平面２０とによって構成されていることになる。そしてテーパー面１８は、導光板１のドット形成面６に対して垂直な方向に対して所定の角度で傾斜し、かつドット形成面６と平行な面内において湾曲する湾曲面となっており、また前記平面２０は、導光板１のドット形成面６に対して垂直な面となっている。
なお上記テーパー面１８は、後述するように、光源１２Ａもしくは光源１２Ｂから導光板１内に導かれた光を、パターン表示面７に向けて反射させるための反射面に相当する。一方、前記平面２０は、各光源１２Ａ、１２Ｂから導光板１内に導かれた光を、パターン表示面７に向けては、反射もしくは屈折により実質的に導かない非反射面に相当うる。
【００４１】
ここで、テーパー面（反射面）１８の向きは、第１の表示パターン部１４Ａと、第２の表示パターン部１４Ｂとで、異なった向きとされている。
すなわち、図１の右側上段および図４（Ａ）に模式的に示しているように、第１の表示パターン部１４Ａに属する多数のドットを構成する反射用凹部１６（Ａ）では、テーパー面１８の凸湾曲側が第１の光源１２Ａに向き、第２の表示パターン部１４Ｂに属する多数のドットを構成する反射用凹部１６（Ｂ）では、テーパー面１８の凸湾曲側が第２の光源１２Ｂに向くように定められている。
【００４２】
なお反射用凹部１６の内面のテーパー面１８のテーパー角度（２分割前の直円錐における垂直な軸Ｏに対する側面の角度）θは、軸Ｏに対して直交する平面（したがって導光板１のドット形成面６と平行な面）に沿ってテーパー面１８に入射する光を、パターン表示面７に向けて（好ましくはパターン表示面７に垂直な方向、もしくはそれに近い角度で）反射させ得るように定めればよく、特に限定されるものではないが、一般には４５度、あるいはそれに近い３０〜６０度程度の範囲内の角度に定めればよい。
【００４３】
以上の実施形態において、複数の発光素子１２Ａ１〜１２Ａ４からなる第１の光源１２Ａから、端面５を経て導光板１内に赤色光を入射させると同時に、複数の発光素子１２Ｂ１〜１２Ｂ４からなる第２の光源１２Ｂから、端面３を経て導光板１内に青色光を入射させた時の状況を以下に説明する。
【００４４】
第１の光源１２Ａからの赤色光が、第１の表示パターン部１４Ａに属する多数のドット（反射用凹部１６（Ａ））のテーパー面（反射面）１８に到達すれば、その赤色光は、テーパー面１８によりパターン表示面７に向けて反射され、これらの多数のドットの集合体によって、第１の表示パターン部１４Ａのパターン（“Ａ”、“Ｂ”、“Ｃ”の文字パターン）が赤色に発光し、表示される。一方、第２の光源１２Ｂからの青色光が、第２の表示パターン部１４Ｂに属するドット（反射用凹部１６（Ｂ））のテーパー面（反射面）１８に到達すれば、その赤色光は、テーパー面１８によって、パターン表示面７に向けて反射され、これらの多数のドットの集合体によって、第２の表示パターン部１４Ｂのパターン（“Ｄ”、“Ｅ”、“Ｆ”の文字パターン）が青色に発光し、表示される。
【００４５】
このとき、第１の光源１２Ａからの赤色光は、第２の表示パターン部１４Ｂに属するドット（反射用凹部１６（Ｂ））内の平面（非反射面）２０にも到達する。しかしながらこの平面２０に入射した赤色光は、パターン表示面７に向かっては反射されず、かつ屈折によりパターン表示面７に向かって導かれることもないため、パターン表示面７において赤色光は発光されず、第２の表示パターン部１４Ｂで青色と赤色との混色は生じない。
また逆に、第２の光源１２Ｂからの青色光は、第１の表示パターン部１４Ａに属するドット（反射用凹部１６（Ａ））内の平面（非反射面）２０にも到達する。しかしながらこの平面２０に入射した青色光も、パターン表示面７に向かっては反射もしくは屈折されないため、パターン表示面７において青色光は発光されず、第１の表示パターン部１４Ａで青色と赤色の混色は生じない。
したがって、第１の表示パターン部１４Ａと第２の表示パターン部１４Ｂとで、明確に異なる発光色によってそれぞれのパターンを表示させることができる。
【００４６】
さらに、本実施形態では、第１の表示パターン部１４Ａと第２の表示パターン部１４Ｂとを問わず、筋ムラの発生を防止することができる。
すなわち、反射用凹部１６の反射面（テーパー面）１８は、直円錐の側面（円錐面）の一部をなす面で構成されているから、その軸線Ｏに対して直交する面内（すなわち導光板１のドット形成面６と平行な面内）の種々の方向から反射面１８に到達した光は、すべて軸線Ｏと平行な一方向、すなわちドット形成面６に対して垂直な一方向に反射される。
具体的には、本実施形態の場合、赤色光を発する第１の光源１２Ａは、４個の発光素子１２Ａ１、１２Ａ２、１２Ａ３、１２Ａ４を、導光板１の端面５に一方向に並べた構成とされており、そのため第１の表示パターン部１４Ａの文字パターン（例えば“Ｂ”の文字）を構成しているドットの反射用凹部１６（Ａ）の反射面（テーパー面）１８には、各発光素子ごとに異なる方向から赤色光が入射されるが、いずれの発光素子からの光も、すべて前記軸線Ｏと平行な一方向、すなわちドット形成面６に垂直な一方向に反射される。
そのため、パターン表示面７の側から見た各反射面１８からの反射像は、その反射面１８をパターン表示面７に投影させた形状とほぼ同じとなり、従来技術のように、反射像がある方向に引き伸ばされてしまうことはない。したがって、たとえ隣り合う反射用凹部１６が相互に近接していても、隣り合う反射用凹部１６の反射面からの各販社像が連続してしまうおそれが少なく、そのため筋状のムラが出現することを抑制することができるのである。
【００４７】
図５には、本発明の第２の実施形態の表示装置を示す。
この第２の実施形態の表示装置は、一つのパターン表示面に、異なる４色でそれぞれ所定の図柄や文字などのパターンを表示させるためのものである。
【００４８】
図５において、導光板１の一つの端面５に、その長さ方向に沿って、ＬＥＤなどの複数（図示の例では４個）の例えば赤色光を発光する発光素子１２Ａ１、１２Ａ２、１２Ａ３、１２Ａ４が配設されており、これらの１２Ａ１〜１２Ａ４によって、第１の光源１２Ａが構成されている。また導光板１における前記端面５に対して反対側の端面３には、その長さ方向に沿ってＬＥＤなどの例えば青色光を発光する複数（図示の例では４個）の発光素子１２Ｂ１〜１２Ｂ４が配設されており、これらの１２Ｂ１〜１２Ｂ４によって、第２の光源１２Ｂが構成されている。さらに、前記端面５に対して時計回り方向に隣り合う端面４には、その長さ方向に沿ってＬＥＤなどの例えば緑色光を発光する複数（図示の例では４個）の発光素子１２Ｃ１〜１２Ｃ４が配設されており、これらの１２Ｃ１〜１２Ｃ４によって、第３の光源１２Ｃが構成されている。そしてまた、前記端面３に対して時計回り方向に隣り合う端面２には、その長さ方向に沿ってＬＥＤなどの例えば黄色光を発光する複数（図示の例では４個）の発光素子１２Ｄ１〜１２Ｄ４が配設されており、これらの１２Ｄ１〜１２Ｄ４によって、第４の光源１２Ｄが構成されている。
【００４９】
前記導光板１における二つの板面６、７のうち、一方の板面６（図７における裏側側の面）は、ドット形成面とされ、他方の板面７（図７における表側の面）は、パターン表示面とされている。
そしてドット形成面６には、前記第１の光源１２Ａからの赤色光によって発光して所定のパターンを赤色光でパターン表示面７に表示させるための第１の表示パターン部１４Ａと、前記第２の光源１２Ｂからの青色光によって発光して所定のパターンを青色光で表示面７に表示させるための第２の表示パターン部１４Ｂと、記第３の光源１２Ｃからの緑色光によって発光して所定のパターンを緑色光で表示面７に表示させるための第３の表示パターン部１４Ｃと、前記第４の光源１２Ｄからの黄色光によって発光して所定のパターンを黄色光で表示面７に表示させるための第４の表示パターン部１４Ｄとが形成されている。
これらの第１〜第４の表示パターン部１４Ａ〜１４Ｄは、それぞれ反射用凹部１６からなる多数のドットの集合体によって、絵柄や文字、記号、模様などのパターンを形成したものであり、本実施形態では、第１の表示パターン部１４Ａには、大文字のアルファべットの“Ａ”、“Ｂ”の文字パターンがドットにより形成され、第２の表示パターン部１４Ｂには、大文字のアルファべットの“Ｅ”、“Ｆ”の文字パターンがドットにより形成され、さらに第３の表示パターン部１４Ｃには、大文字のアルファべットの“Ｃ”、“Ｄ”の文字パターンがドットにより形成され、第４の表示パターン部１４Ｄには、大文字のアルファべットの“Ｇ”、“Ｈ”の文字パターンがドットにより形成されている。
【００５０】
各表示パターン部１４Ａ〜１４Ｄを構成する多数のドットは、それぞれ図６（Ａ）、（Ｂ）に模式的に示しているように、直円錐を、その軸線Ｏを含む二つの平面（互いに直交する２平面）によって縦方向に均等に４分割した場合の、一つの分割体の形状、すなわち円錐４分割体の形状をなす凹部（反射用凹部）１６によって構成されている。そして各反射用凹部１６は、その軸線（４分割前の円錐の回転軸線）Ｏが、導光板１のドット形成面６に対して垂直となるように、かつ円錐の底面に相当する側がドット形成面６に開口するように、その面６から窪んだ状態で形成されている。したがって、各反射用凹部１６の内面は、軸線Ｏを基準として９０度の角度で広がるテーパー面（４分割する前の円錐における側面の１／４の面）１８´と、そのテーパー面１８´の両端縁と軸線Ｏとの間を結ぶ二つの平面２０Ａ、２０Ｂとによって構成されていることになる。そしてテーパー面１８´は、ドット形成面６に垂直な方向に対して所定の角度で傾斜し、また前記平面２０Ａ、２０Ｂは、ドット形成面６に垂直な面となっている。
なお上記テーパー面１８´は、前記第１の実施形態の場合と同様に、それぞれ光源１２Ａ〜１２Ｄから導光板１内を導かれた光を、パターン表示面７に向けて反射させるための前記反射面に相当する。また平面２０Ａ、２０Ｂは、光源１２Ａ〜１２Ｄから導光板１内を導かれた光をパターン表示面７に向けて実質的に導かない前記非反射面に相当する。
【００５１】
ここで、テーパー面（反射面）１８´の向きは、各表示パターン部１４Ａ〜１４Ｄごとに、異なった向きとされている。
すなわち、図５の４隅の位置に模式的に示しているように、第１の表示パターン部１４Ａに属する多数のドットを構成する反射用凹部１６（Ａ）では、テーパー面１８´の凸湾曲側が第１の光源１０Ａに向き、第２の表示パターン部１４Ｂに属する多数のドットを構成する反射用凹部１６（Ｂ）では、テーパー面１８´の凸湾曲側が第２の光源１０Ｂに向き、第３の表示パターン部１４Ｃに属する多数のドットを構成する反射用凹部１６（Ｃ）では、テーパー面１８´の凸湾曲側が第３の光源１０Ｃに向き、第４の表示パターン部１４Ｄに属する多数のドットを構成する反射用凹部１６（Ｄ）では、テーパー面１８´の凸湾曲側が第４の光源１０Ｄに向くように定められている。
【００５２】
このような第２の実施形態において、各光源１２Ａ〜１２Ｄから、それぞれ赤色光、青色光、緑色光、黄色光を、導光板１内に入射させた時の状況を以下に説明する。
【００５３】
第１のパターン表示部１４Ａのドットを構成している反射用凹部１６（Ａ）は、そのテーパー面１８´の凸湾曲面側が第１の第１の光源１２Ａに向いているため、そのテーパー面１８´は、第１の光源１２Ａからの赤色光をパターン表示面７に向けて反射させる。一方、その他の光源１２Ｂ、１２Ｃ、１２Ｄは、第１のパターン表示部１４Ａの反射用凹部１６（Ａ）のテーパー面１８´の凸湾曲面側に向いていないため、これらの光源１２Ｂ、１２Ｃ、１２Ｄからの青色光、緑色光、黄色光は、パターン表示面７に向かっては導かれない。また第１のパターン表示部１４Ａの反射用凹部１６（Ａ）の平面２０Ａ、２０Ｂは、各光源１２Ａ〜１２Ｄからの光をパターン表示面７に向けて実質的に導かない。
したがって第１のパターン表示部１４Ａでは、赤色光に他の色の光が混色することなく、所定のパターン（“Ａ”、“Ｂ”の文字パターン）を赤色で発光表示する。その他のパターン表示部１４Ｂ、１４Ｃ、１４Ｄでも、同様に、反射用凹部のテーパー面が向いている側の各光源１２Ｂ、１２Ｃ、１２Ｄからの青色光、緑色光、黄色光によって互いに混色が生じることなく、それぞれ所定の発光色でパターンを発光表示させることができる。
またこの第２の実施形態の場合も、第１の実施形態と同様に、筋ムラの発生を抑制することができる。
【００５４】
以上のように、第１の実施形態では、導光板１０を方形として、その二つの端面に異なる発光色の光源を配設しておき、二つの表示パターン部をそれぞれ異なる色で発光させることとし、また第２の実施形態では、同じく導光板１０を方形として、その四つの端面に異なる発光色の光源を配設しておき、四つの表示パターン部を異なる色で発光させることとしているが、方形の導光板の四つの端面のうちの三つの端面に、それぞれ異なる発光色の光源を配設して、各光源から導光板に入射する光の向きが９０度ずつずれるようにし、併せて、パターン表示面に三つの表示パターン部を形成しておき、これらの三つの表示パターン部を、それぞれ異なる色で発光させることとしてもよいことはもちろんである。その場合、反射用凹部は、第２の実施例と同様に、直円錐を４分割した内面形状とすればよい。
【００５５】
さらに、導光板１０を平面的に見て三角形をなす形状とし、その三つの端面に異なる発光色の光源を配設して、三角形状のパターン表示面に三つの表示パターン部をそれぞれ異なる色で発光させる構成としてもよい。その場合、導光板が正三角形であれば、反射用凹部は、直円錐を、その軸線を含む平面により３等分に縦割り上に分割した円錐３分割体の形状とすればよい。そのほか、５角形あるいはそれ以上の多角形の導光板や、円盤状の導光板を用いて、それぞれの端面もしくは外周面の異なる個所に複数の光源を配置するとともに、各表示パターン部のドットを構成する反射用凹部として、円錐面の一部を構成するテーパー面を有する形状とし、それぞれのテーパー面の凹凸湾曲面側を、対応する光源に向けた構成としても良い。
【００５６】
なお、前述の各実施形態では、各表示パターン部に対応するドットの集合体を、導光板の板面において相互に離隔させて形成しているが、場合によっては、各表示パターン部に対応するドットの集合体の一部もしくは全部が、導光板の板面において重なり合ってもよい。その一例を、第１の実施形態を示す図１に準じて、図７に示す。この場合、第１のパターン表示部１４Ａにおいて発光表示されるパターン（“Ａ”、“Ｂ”、“Ｃ”の文字）と、第２のパターン表示部１４Ｂにおいて発光表示されるパターン（“Ｄ”、“Ｅ”、“Ｆ”の文字）とが、一部重なり合っており、その重なり部分では混色が生じるが、適切に各発光色を選定して、重なり部分で適切な色調の混色が生じるように設定すれば、光源による発光色の数よりも、表示される発光色の数を多くし、多彩な色調で表示することが可能となる。
【００５７】
さらに、前述の各実施形態では、各光源がそれぞれ異なる色の光を発光するものとしたが、各光源の発光色はすべて異なる色とする必要はない。例えば、複数の光源のすべての発光色を同色とするか、または複数の光源のうちの一部の２以上の光源の発光色を同色としておき、各光源が点滅するように、しかもその点滅のタイミングが、少なくとも同色の光源の間では異なるように制御してもよい。この場合、２以上のパターン表示部の発光色が同色であっても、それらのパターン表示部は、異なるタイミングで発光表示することになり、このような制御方法を適用する場合にも、本発明は有効である。
【００５８】
そしてまた、図７に示したように、各光源の発光色を異ならしめるとともに、各表示パターン部の一部または全部が重なり合うようにした場合において、各光源が点滅するように、しかもその点滅のタイミングが異なるように制御すれば、パターンが重なり合う部分で混色が生じることを回避することができる。さらに、このような発光タイミングの制御と、発光色の設定とを、適宜組み合わせることによって、種々の表示態様を得ることができる。
【００５９】
ここで、上述の各実施形態では、反射用凹部１６の内面形状を、直円錐を縦割りに２分割もしくは３分割以上の多分割した形状とし、その分割面に相当する平面（非反射面）が、導光板１のドット形成面６に対して垂直となるように構成しているが、反射面となるテーパー面１８以外の非反射面（第１の実施形態では平面２０、第２の実施形態では平面２０Ａ、２０Ｂに相当）は、必ずしもドット形成面６に対し垂直な面としなくても良い。すなわち、反射用凹部１６の内面のうち、反射面となるべきテーパー面１８以外の非反射面は、要は、各光源から導かれた光を、反射もしくは屈折によりパターン表示面７に向けて実質的に導かない面であればよく、その観点からすれば、非テーパー面は、ドット形成面６に対し垂直な面とするよりも、テーパー面１８の凸湾曲側に若干傾斜した平面とすることが好ましい。例えば、前記第１の実施形態として示した図４（Ａ）の反射用凹部（円錐２分割体形状）における平面（非反射面）２０を、ドット形成面６に垂直な面から傾斜させた反射用凹部１６の例を、図８（Ａ）、（Ｂ）に示す。
【００６０】
図８（Ａ）、（Ｂ）に示す例の反射用凹部１６は、直円錐における頂点Ｐを通りかつ軸線Ｏに対して小角度φだけ傾斜する直線Ｍに沿った平面２０によって直円錐体を切断し、頂角ρを、
ρ＝θ−φ
とした直円錐不均等分割体の形状としている。この場合、テーパー面（反射面）１８に対して反対側の方向から到来した光（黒矢印）は、傾斜した平面２０によってドット形成面６の側に向けて反射されるから、パターン表示面７にその反射光が到達することを確実に回避することが可能となる。したがって各パターン表示部での混色の発生を、より確実に防止することが可能となる。但し、反射用凹部の形成のための導光板の加工上の観点からは、既に述べた実施形態のように、平面（非反射面）２０を垂直面とする方が反射用凹部１６の形成加工が容易で加工コストも低く、したがって加工コストを重視する場合は、平面（非反射面）２０を垂直面とすることが望ましい。
【００６１】
また図５に示した第２の実施形態の表示装置に適用する反射用凹部（図６（Ａ）、（Ｂ）参照）についても、図９（Ａ）、（Ｂ）に示すように、反射面であるテーパー面１８´以外の非反射面、すなわち平面２０Ａ，２０Ｂを、傾斜面としてもよい。
【００６２】
さらに各反射用凹部１６の内面形状は、図１０に示すように、円錐台を、その軸線Ｏを含む面によって縦割りに２分割した形状であってもよい。ここで、円錐台とは、直円錐をその底面と平行な面で切断した場合の底面側の部分を意味する。このような円錐台を縦割りに２分割した形状の内面を有する反射用凹部１６の場合も、テーパー面１８の部分を反射面として、その凸湾曲面側を、対応する光源に向けることにより、図１〜図４に示した実施形態と同様な混色防止および筋ムラ発生防止を図ることができる。
またこのような円錐台の分割体の形状とした場合も、そのテーパー面１８以外の平面（非反射面２０）を、図８に示したと同様に、傾斜面としてもよい。
【００６３】
そのほか、反射用凹部の内面形状、特にテーパー面（反射面）の形状としては、種々の湾曲面を適用することができ、例えば反射用凹部の内面形状として、図１１に示すように直円柱の軸線Ｏを、導光板のドット形成面に垂直な方向Ｑから所定角度αだけ傾斜させ、その直円柱の一部を切り取った形状を適用し、前記直円柱の外周面の一部に相当する面を反射面（テーパー面）１８とし、切り取り面の一つを非反射面２０としてもよい。
【００６４】
また、図１２に示すように、直円錐の軸線Ｏを導光板のドット形成面に垂直な方向Ｑから所定角度βだけ傾斜させた斜円錐を、その軸線０を含む平面によって２分割（あるいは３分割以上の多分割）した形状によって反射用凹部１６を構成してもよい。さらに、図示はしないが、同様な斜円錐を、導光板のドット形成面に垂直な面によって２分割（あるいは３分割以上の多分割）した形状としてもよい。
【００６５】
なおまた、導光板は、その厚み（ドット形成面とパターン表示面との間の距離）を均一にすることが一般的ではあるが、場合によってはその厚みを変化させても良い。例えばパターン表示面を、ドット形成面に対して若干傾斜させ、導光板のある端面から反対側の端面に向けて厚みが大きくなるようにしたり、あるいはパターン表示面の中間に段差を設けたりしても良い。さらに、導光板の平面的な全体形状は、既に述べたような方形状、三角形状、多角形状、円形状のほか、任意の形状とすることができる。また方形状の場合でも、正方形に限らず、長方形でもよく、特に平行な２辺（２端面）を、それに対し直角となる２辺（２端面）よりも著しく長くして、角棒もしくはそれに近い形状とすることもできる。
【００６６】
さらに、導光板における端面は、必ずしも板面、特にドット表示面に対して垂直とする必要はないが、光源からの光を、導光板内にドット形成面と平行な方向に入射させるためには、少なくとも光源を配置する側の端面は、ドット形成面に対して垂直とすることが好ましい。
【００６７】
また、前述の各実施形態では、各光源を、それぞれ複数の発光素子によって構成して、各光源に属する複数の発光素子を、導光板の一つの端面に、その端面の長さ方向に沿って並べているが、各光源を、それぞれある長さを有する１または２以上の線状光源によって構成し、その線状光源を導光板の端面に、その端面の長さ方向に沿って配設してもよい。このような線状光源を用いた場合でも、既に述べたように従来技術では筋ムラが出現しやすいが、本発明の場合は、その場合でも筋ムラの出現を抑制することができる。
【００６８】
以上、本発明の好ましい実施形態を説明したが、本発明はこれらの実施形態に限定されないことはもちろんである。本発明の趣旨を逸脱しない範囲で、構成の付加、省略、置換、およびその他の変更が可能である。
【符号の説明】
【００６９】
１・・・導光板、２，３，４，５・・・端面、６・・・板面（ドット形成面）、７・・・板面（パターン形成面、１２Ａ，１２Ｂ，１２Ｃ，１２Ｄ・・・光源、１４Ａ，１４Ｂ，１４Ｃ，１４Ｄ・・・表示パターン、１６，１６（Ａ），１６（Ｂ），１６（Ｃ），１６（Ｄ）・・・反射用凹部、１８・・・テーパー面（反射面）、２０，２０Ａ，２０Ｂ・・・平面（非反射面）。
【図１】
0005809913.tif 000002
【図２】
0005809913.tif 000003
【図３】
0005809913.tif 000004
【図４】
0005809913.tif 000005
【図５】
0005809913.tif 000006
【図６】
0005809913.tif 000007
【図７】
0005809913.tif 000008
【図８】
0005809913.tif 000009
【図９】
0005809913.tif 000010
【図１０】
0005809913.tif 000011
【図１１】
0005809913.tif 000012
【図１２】
0005809913.tif 000013
【図１３】
0005809913.tif 000014
【図１４】
0005809913.tif 000015
【図１５】
0005809913.tif 000016
【図１６】
0005809913.tif 000017
【図１７】
0005809913.tif 000018
【図１８】
0005809913.tif 000019